(57)【特許請求の範囲】
【請求項１】
建物本体の外壁に垂木掛けを設置する垂木掛け設置工程と、
前記外壁から所定の間隔をあけて複数の支柱を設置する支柱設置工程と、
前記複数の支柱の上端部に接続して自在桁を設置する自在桁設置工程と、
後端を前記垂木掛けに接続しつつ前記自在桁上に載置するようにして複数の垂木を所定位置に配設する垂木設置工程と、
前記垂木と前記自在桁を接続する垂木／自在桁接続工程と、
隣り合う前記垂木に支持させて屋根部材を取り付ける屋根部材設置工程とを備え、
且つ、前記自在桁が、少なくとも一部に凸円弧面が形成されるとともに予め所定位置にビス孔が穿設され、前記複数の支柱の上端部に接続して横方向に延設される桁本体部と、前記凸円弧面に沿う円弧板状に形成されるとともに前後方向に沿って延びる長孔のビス挿通孔が貫通形成された固定部、及び前記固定部から突出する保持片部からなる固定金具とを備えて構成され、
前記垂木／自在桁接続工程で、前記ビス挿通孔を通じて前記ビス孔にビスをねじ込み、前記ビス挿通孔で案内させつつ前記固定金具を前後方向にスライド移動させて位置決めし、前記ビスを締結して前記固定部を前記桁本体部に固着するとともに前記垂木を前記保持片部でクランプ保持し、前記垂木を前記自在桁に接続し、
前記複数の垂木の先端に接続して前枠を設置する前枠設置工程を備え、
且つ、前記前枠を前記垂木の先端に係合させて仮設置するための第１係止受部及び第１係止部からなる仮設置用係合部と、前記前枠を前記垂木に固着し、前記前枠を前記垂木の先端に本設置するとともに係合するための第２係止受部及び第２係止部からなる本設置用係合部とを備えて前記前枠と前記垂木が構成され、
前記前枠設置工程で、前記前枠を搬送し、前記第１係止部と前記第１係止受部を係合させて前記前枠を前記垂木の先端に接続して仮設置した後、前記前枠を前記垂木にビス止めしつつ前記前枠を所定の本設置位置に配設するとともに、前記前枠の転動を防止するように前記第２係止部を第２係止受部に係合させつつ係止させ、前記前枠を前記垂木に接続することを特徴とする建物外部構築物の施工方法。
【発明の詳細な説明】
【技術分野】
【０００１】
本発明は、オープンテラスなどの建物外部構築物の施工方法に関する。
【背景技術】
【０００２】
住宅や店舗などの建物の多機能化を図り、利便性、快適性を向上させることができるという大きな利点を有することから、サンルームやテラス、バルコニーなどのガーデンルームタイプの建物外部構築物や、カーポート、自転車置き場、オープンテラス、物置、通路等のサイドスルータイプの建物外部構築物を住宅などの建物本体の外部に構築（設置、増築）するケースが増大している。
【０００３】
そして、この種の建物外部構築物Ａは、例えば図１に示すように、住宅などの建物本体Ｔの外壁Ｔ１との間に所定の間隔をあけて、且つ外壁Ｔ１に沿う方向にも所定の間隔をあけて複数の支柱１を立設するとともに支柱１の上端部に接続して桁２を架設し、これら支柱１と桁２で屋根部３を支持して構成されている。
【０００４】
また、屋根部３は、建物本体Ｔの外壁Ｔ１に水平に設置される垂木掛け４と、垂木掛け５に後端を接続し、桁２に支持させて前後方向Ｓ１に延設され、且つ外壁Ｔ１に沿う横方向Ｓ２に所定の間隔をあけて並設される複数の垂木５と、垂木５に支持されて屋根面を形成する屋根パネル６とを備えて構成されている。
【０００５】
さらに、屋根部３は、複数の垂木５の先端に接続して横方向Ｓ２に延設され、例えば屋根部３の先端部を形成して意匠性を確保したり、雨樋（横樋）などとして機能する前枠７を備えている。
【０００６】
一方、図１３、図１４に示すように、支柱１の上端部に接続して架設される桁本体部８と、桁本体部８の上端部側に、桁本体部８の延設方向に沿う軸線Ｏ１周りに回動可能に一体に繋げて設けられ、垂木５が接続される自在桁部９とを備えて構成した桁（自在桁）２が多用されている（例えば、特許文献１参照）。
【０００７】
また、自在桁２の自在桁部９は、図１４（ａ）、（ｂ）、（ｃ）に示すように、略円筒状に形成されるとともに軸線Ｏ１方向に延びてボルト１０の頭部を係合させて、ボルト１０を軸線Ｏ１方向に進退自在に保持するスライド溝１１を備えた可動部１２と、可動部１２の両側端にそれぞれ着脱可能に取り付けられて可動部１２の両端の開口を閉塞するキャップ１３と、可動部１２のスライド溝１１に進退自在に保持されたボルト１０の軸部を挿通し、ナット１４を締結することによって垂木５をクランプ保持して可動部１２に垂木５を接続するための固定金具１５とを備えて構成されている。
【０００８】
また、図１４（ｂ）に示すように、桁本体部８の上端部に凹設された断面円弧状の嵌合部１６に自在桁部９を軸線Ｏ１方向に沿う横方向からスライドして嵌め込むことで、桁本体部８に自在桁部９が軸線Ｏ１周りに回動自在に取り付けられる。
【０００９】
これにより、ボルト１０をスライド溝１１に沿って進退させることで垂木５の位置にボルト１０を合わせ、固定金具１５を取り付けることで、自在桁２に垂木５を接続することができる。さらに、自在桁部９を軸線Ｏ１周りに回動させることで、垂木５に対してボルト１０や固定金具１５の角度、前後方向Ｓ１の位置を自在に合わせることができ、自在桁２ひいては支柱１を前後方向Ｓ１の任意の位置に設置しても確実に自在桁２に垂木５を接続することが可能になる。また、ビスで桁本体部８に自在桁部９を固定することによってボルト１０の位置を任意に設定し、確実に垂木５と自在桁２を固定金具１５で接続することができる。
【先行技術文献】
【特許文献】
【００１０】
【特許文献１】特開２０００−２０４６６０号公報
【発明の概要】
【発明が解決しようとする課題】
【００１１】
しかしながら、上記従来の建物外部構築物においては、自在桁の部品点数、加工点数が多いことなどが施工性や経済性の低下を招く一要因となっており、この点を改善し施工性等の向上を図ることが望まれていた。
また、自在桁が垂木を接続するためのボルトをスライド溝で進退自在に設けるため、このボルトの位置がずれると、垂木が斜めに配設されてしまうおそれがある。
【００１２】
本発明は、上記事情に鑑み、施工性の向上を図ることを可能にした建物外部構築物の施工方法を提供することを目的とする。
【課題を解決するための手段】
【００１３】
上記の目的を達するために、この発明は以下の手段を提供している。
【００１４】
本発明の建物外部構築物の施工方法は、建物本体の外壁に垂木掛けを設置する垂木掛け設置工程と、前記外壁から所定の間隔をあけて複数の支柱を設置する支柱設置工程と、前記複数の支柱の上端部に接続して自在桁を設置する自在桁設置工程と、後端を前記垂木掛けに接続しつつ前記自在桁上に載置するようにして複数の垂木を所定位置に配設する垂木設置工程と、前記垂木と前記自在桁を接続する垂木／自在桁接続工程と、隣り合う前記垂木に支持させて屋根部材を取り付ける屋根部材設置工程とを備え、且つ、前記自在桁が、少なくとも一部に凸円弧面が形成されるとともに予め所定位置にビス孔が穿設され、前記複数の支柱の上端部に接続して横方向に延設される桁本体部と、前記凸円弧面に沿う円弧板状に形成されるとともに前後方向に沿って延びる長孔のビス挿通孔が貫通形成された固定部、及び前記固定部から突出する保持片部からなる固定金具とを備えて構成され、前記垂木／自在桁接続工程で、前記ビス挿通孔を通じて前記ビス孔にビスをねじ込み、前記ビス挿通孔で案内させつつ前記固定金具を前後方向にスライド移動させて位置決めし、前記ビスを締結して前記固定部を前記桁本体部に固着するとともに前記垂木を前記保持片部でクランプ保持し、前記垂木を前記自在桁に接続し、前記複数の垂木の先端に接続して前枠を設置する前枠設置工程を備え、且つ、前記前枠を前記垂木の先端に係合させて仮設置するための第１係止受部及び第１係止部からなる仮設置用係合部と、前記前枠を前記垂木に固着し、前記前枠を前記垂木の先端に本設置するとともに係合するための第２係止受部及び第２係止部からなる本設置用係合部とを備えて前記前枠と前記垂木が構成され、前記前枠設置工程で、前記前枠を搬送し、前記第１係止部と前記第１係止受部を係合させて前記前枠を前記垂木の先端に接続して仮設置した後、前記前枠を前記垂木にビス止めしつつ前記前枠を所定の本設置位置に配設するとともに、前記前枠の転動を防止するように前記第２係止部を第２係止受部に係合させつつ係止させ、前記前枠を前記垂木に接続することを特徴とする。
【発明の効果】
【００１６】
本発明の建物外部構築物の施工方法においては、予め所定の位置にビス孔を穿設した桁本体部と、長孔のビス挿通孔が形成された固定部及び垂木をクランプ保持するための保持片部からなる固定金具とで構成した自在桁を用いるようにしたことで、従来の自在桁よりも大幅に部品点数、部品付けによる施工工数を少なくすることができる。
【００１７】
よって、本発明の建物外部構築物の施工方法によれば、従来と比較し、大幅に部品点数や部品付けによる施工工数を減らすことができ、建物外部構築物の施工性、経済性の向上を確実に図ることが可能になる。
【図面の簡単な説明】
【００１８】
【図１】本発明の一実施形態に係る建物外部構築物を示す斜視図である。
【図２】本発明の一実施形態に係る前枠と垂木の取付構造を示す図であり、前枠を持ち上げて横方向に配した状態を示す図である。
【図３】本発明の一実施形態に係る建物外部構築物が備える前枠と垂木の取付構造を示す図であり、前枠を垂木に仮設置した状態を示す図である。
【図４】本発明の一実施形態に係る建物外部構築物が備える前枠と垂木の取付構造を示す図であり、前枠を垂木に本設置した状態を示す図である。
【図５】本発明の一実施形態に係る建物外部構築物が備える前枠と垂木の取付構造を備える建物外部構築物の変形例を示す図である。
【図６】本発明の一実施形態に係る建物外部構築物が備える自在桁を示す図である。
【図７】本発明の一実施形態に係る建物外部構築物が備える自在桁の桁本体部を示す図である。
【図８】本発明の一実施形態に係る建物外部構築物が備える自在桁に垂木を接続した状態を示す図である。
【図９】本発明の一実施形態に係る建物外部構築物の施工方法において、垂木掛け、支柱、自在桁、一対の妻垂木、前枠を設置した状態を示す斜視図である。
【図１０】本発明の一実施形態に係る建物外部構築物の施工方法において、図９の状態から、一方の妻垂木側から屋根パネルとともに中間垂木を設置した状態を示す図である。
【図１１】本発明の一実施形態に係る建物外部構築物の施工方法において、図１０の状態から、さらに他方の妻垂木側の屋根パネルと中間垂木を設置した状態を示す図である。
【図１２】本発明の一実施形態に係る建物外部構築物の変更例を示す図である。
【図１３】従来の自在桁を示す図である。
【図１４】従来の自在桁を示す図である。
【発明を実施するための形態】
【００１９】
以下、図１から図１１を参照し、本発明の一実施形態に係る建物外部構築物の施工方法について説明する。
【００２０】
まず、本実施形態の建物外部構築物Ｂは、例えば、オープンテラスやカーポートなどであり、図１に示すように、住宅や店舗などの建物本体Ｔの外壁Ｔ１との間に所定の間隔をあけて、且つ外壁Ｔ１に沿う横方向Ｓ２にも所定の間隔をあけて立設される複数の支柱１と、複数の支柱１の上端部に接続して架設される自在桁（桁）１７と、これら支柱１と自在桁１７で支持される屋根部３とを備えて構成されている。
【００２１】
屋根部３は、建物本体Ｔの外壁Ｔ１に水平に設置される垂木掛け４と、垂木掛け４に後端を接続し、自在桁１７に支持させて外壁Ｔ１から前方に突設されるとともに、外壁Ｔ１に沿う横方向Ｓ２に所定の間隔をあけて並設される複数の垂木５と、垂木５に支持されて屋根面を形成する屋根パネル（屋根部材）６と、隣り合う垂木５に架設されて下方から屋根パネル６を支持する複数の野縁２１とを備えている。
【００２２】
また、本実施形態の建物外部構築物Ｂは、各垂木５がその先端側を下方に湾曲させて形成されている。これにより、屋根部３は、後端から先端側に向かうに従い漸次下方に向けて直線状に傾斜するフラット傾斜部３ａと、フラット傾斜部３ａから先端に向かうに従い漸次下方に向けて円弧状に傾斜する湾曲部３ｂとを備えて形成されている。
【００２３】
さらに、屋根部３は、図１に示すように、複数の垂木５の先端に接続して横方向Ｓ２に延設され、例えば屋根部３の先端部を形成して意匠性を確保したり、雨樋などとして機能する前枠２２を備えて構成されている。
【００２４】
そして、本実施形態の前枠２２は、前枠と垂木の取付構造Ｃによって複数の垂木５の先端に接続して設置されている。
【００２５】
この前枠と垂木の取付構造Ｃは、図２から図４に示すように、前枠２２を垂木５の先端に仮設置する際に、互いに係合して前枠２２を垂木５に支持させる第１係止部２３と第１係止受部２４からなる仮設置用係合部２５と、前枠２２を所定位置に配設しつつ垂木５の先端に本設置する際に、互いに係合して前枠２２を垂木５に支持させる第２係止部２６と第２係止受部２７からなる本設置用係合部２８とを備えて構成されている。
【００２６】
具体的に、本実施形態の前枠２２は、下方に凸の断面円弧状に形成されるとともに横方向Ｓ２に延設され、横樋として機能する前枠本体部２２ａと、前枠を設置した状態で前枠本体部２２ａから垂木５の下面側に突出し、下方からビス３８で止めて垂木５に固着される固定部２２ｂと、前枠本体部２２ａから突出して屋根パネル６の先端部を保持する保持部２２ｄとを備えて形成されている。
【００２７】
さらに、この前枠２２には、固定部２２ｂの突出方向先端と前枠本体部２２ａの後方側との前後方向Ｓ１の間に、後方に向けて突出するとともに下方に折れ曲がって形成された仮設置用係合部２５の第１係止部２３と、後方に突出するとともに上方に折れ曲がって形成された本設置用係合部２８の第２係止部２６とが設けられている。また、本実施形態では、第１係止部２３と第２係止部２６が前枠本体部２２ａから後方に突出する一つの突出片２２ｃの先端に下方と上方にそれぞれ延出して一体形成されている。
【００２８】
垂木５には、先端側の下面側に、垂木５の延設方向に沿う前方側に突出するとともに上方に折れ曲がって形成された仮設置用係合部２５の第１係止受部２４が設けられ、先端側の上面側に、前方側に突出するとともに下方に折れ曲がる本設置用係合部２８の第２係止受部２７が設けられている。これにより、垂木５の先端側には、先端と第１係止受部２４の間に上側係合溝（上側係合凹部）２９、先端と第２係止受部２７の間に下側係合溝（下側係合凹部）３０がそれぞれ形成されている。
【００２９】
一方、垂木５を支持する本実施形態の自在桁１７は、図５から図８に示すように、複数の支柱１の上端部にビス止めするなどして横方向Ｓ２に延設される桁本体部３１と、桁本体部３１の所定位置に取り付けられて各垂木５を桁本体部３１に接続する固定金具３２とを備えて構成されている。
【００３０】
また、桁本体部３１は、少なくとも上端（頂部）側及び建物外部構築物Ｂの前方側を向く面３１ａが一連の断面凸円弧状（凸円弧面状）に形成されている。また、この桁本体部３１の凸円弧状の面３１ａは、垂木５ひいては屋根部３の先端部側の曲率に応じた所定の曲率をもって形成されている。
【００３１】
さらに、桁本体部３１には、図５及び図６に示すように、凸円弧状の面３１ａの各垂木５の略接続位置に、垂木５の接続位置や垂木５の幅寸法に応じた軸線Ｏ１方向の所定の間隔をもって、複数の固定金具取付用のビス孔３３が予め穿設されている。
【００３２】
次に、本実施形態の固定金具３２は、図７及び図８に示すように、桁本体部３１の上端側及び前方側の一連の凸円弧面３１ａに沿う円弧板状の固定部３４と、固定部３４の側端から外側に且つ上方に向けて突出し、垂木５の下端側に形成されたフランジを桁本体部３１との間で上下方向に挟み込んでクランプ保持するための保持片部３５とを備えて形成されている。さらに、固定部３４には、前後方向Ｓ２に沿って延びる長孔のビス挿通孔３６が上面から下面に貫通形成されている。
【００３３】
そして、上記構成からなる本実施形態の建物外部構築物Ｂを構築する際には（本実施形態の建物外部構築物の施工方法においては）、まず、図９に示すように、垂木掛け４を建物本体Ｔの外壁Ｔ１にアンカーボルト等を用いて設置するとともに外壁Ｔ１から所定の間隔をあけた所定位置に複数の支柱１を立設する（垂木掛け設置工程、支柱設置工程）。
【００３４】
次に、複数の支柱１の上端部にビス止めするなどして接続して自在桁１７の桁本体部３１を架設する（自在桁設置工程）。さらに、建物外部構築物Ｂの両側部側の垂木（一対の妻垂木５ａ、５ｂ）５を設置する（垂木設置工程）。このとき、各垂木５（５ａ、５ｂ）は、桁本体部３１上に載置しつつ後端を垂木掛け４にビス止めするなどして接続し、平面視で外壁Ｔ１に沿う水平の横方向Ｓ２に直交する前後方向Ｓ１に沿って配設する。
【００３５】
次に、自在桁１７の固定金具３２を用いて各妻垂木５ａ、５ｂを桁本体部３１に接続する（垂木／自在桁接続工程）。このとき、本実施形態では、図６から図８に示すように、桁本体部３１の所定位置に予めビス孔３３が穿設されており、固定金具３２の固定部３４の長孔のビス挿通孔３６が桁本体部３１の所定位置のビス孔３３と連通するように、且つ固定金具３２の保持片部３５が妻垂木５の下端側のフランジ上に配されるようにして、固定金具３２を桁本体部３１の凸円弧面３１ａ上に配設する。ここで、固定金具３２は固定部３４が桁本体部３１の凸円弧面３１ａに応じた曲率を備えて円弧状に形成されているため、この固定部３４を桁本体部３１の凸円弧面３１ａに面接触させた状態で固定金具３２が設置される。
【００３６】
そして、固定金具３２の固定部３４のビス挿通孔３６、さらに桁本体部３１のビス孔３３に上方からビス３７を挿通／貫入させて締付けると、固定部３４が桁本体部３１に固着され、且つ垂木５のフランジが保持片部３５で上方から押圧されてクランプ保持される。これにより、固定金具３２を所定位置に配設し、予め桁本体部３１に穿設したビス孔３３にビス３７を締結するだけで、固定金具３２によって垂木５をクランプ保持して自在桁１７に接続することができる。
【００３７】
また、このとき、図８に示すように、固定部３４のビス挿通孔３６が前後方向Ｓ１に延びる長孔として形成されているため、この長孔に沿って固定金具３２ひいては保持片部３５をビス挿通孔３６で案内して前後方向Ｓ１にスライド移動させ、好適な位置に位置決めすることができる。これにより、図５に示すように、自在桁１７に対する垂木５の接続位置が前後にずれていても、すなわち支柱１ひいては自在桁１７の位置を前後にずらしても固定金具３２を前後にスライド移動させるだけで、確実に保持片部３５によって垂木５をクランプ保持し自在桁１７に強固に固着することができる。
【００３８】
上記のように一対の妻垂木を設置した後、図１１に示すように、屋根部３を流下した雨水等を受ける前枠２２を一対の垂木５に取り付ける（前枠設置工程）。
【００３９】
このとき、図２、図３に示すように、前枠２２を持ち上げ、前枠２２の第１係止部２３を各垂木５の下側係合溝３０に上方から挿入し、前枠２２の第１係止部２３と各垂木５の第１係止受部２４を順次係合させる。
【００４０】
このように第１係止部２３と第１係止受部２４を係合させると、垂木５側の第１係止受部２４によって前枠２２側の第１係止部２３が係止される。また、このとき、作業者が前枠２２を放すと、前枠２２（前枠本体部２２ａ及び／又は固定部２２ｂ）が各垂木５の先端側に当接する。
【００４１】
これにより、前枠２２の仮設置用係合部２５の第１係止部２３を各垂木５の仮設置用係合部２５の第１係止受部２４に係合させるだけで、前枠２２が各垂木５の先端側に引っ掛かった状態で支持され、容易に前枠２２が仮設置される。
【００４２】
次に、図４に示すように、前枠２２の固定部２２ｂを垂木５の先端側の下面に下方からビス３８で止めて固着する。例えば、前枠２２を上方に持ち上げて搬送し、前枠２２の固定部２２ｂ、垂木５の先端側の下面に貫通形成されたビス孔が連通するように垂木５に対して前枠２２を所定の本設置位置に配設し、これとともに、連通したビス孔に下方からビス３８を打ち込んで前枠２２の固定部２２ｂを垂木５の先端側に固着する。
なお、必ずしも前枠２２の固定部２２ｂと垂木５の先端側にビス孔が設けられていなくてもよく、前枠２２を上方に持ち上げ、垂木５に対して前枠２２を所定の本設置位置に配設するとともに下方からビス３８を打ち込んで前枠２２の固定部２２ｂを垂木５の先端側に固着してもよい。
【００４３】
そして、本実施形態の前枠と垂木の取付構造Ｃでは、前枠２２を持ち上げ、固定部２２ｂを垂木５に固着するとともに、前枠２２の仮設置用係合部２５の第１係止部２３が垂木５の仮設置用係合部２５の第１係止受部２４（下側係合溝３０）から外れ、前枠２２の本設置用係合部２８の第２係止部２６が上側係合溝２９に嵌り、自動的に垂木５の本設置用係合部２８の第２係止受部２７に係合する。
【００４４】
このように前枠２２の固定部２２ｂをビス止めして垂木５に固着するだけで、本設置用係合部２８の第２係止部２６が本設置用係合部２８の第２係止受部２７に係合し、第２係止部２６が第２係止受部２７に係止される。これにより、前枠２２が垂木５に対して前方に転動することが防止され、前枠２２が垂木５に強固に安定した状態で接続して設置される。
【００４５】
これにより、本実施形態では、仮設置用係合部２５によって前枠２２を垂木５の先端に係合させて仮設置することができる。そして、この仮設置した前枠２２をビス止めして垂木５に固着し、前枠２２が仮設置位置から本設置位置に移るとともに本設置用係合部２８を係合させることができ、本設置した前枠２２を、垂木５に固着するためのビス３８と本設置用係合部２８で強固に安定した状態で保持することができる。
【００４６】
また、仮設置用係合部２５の第１係止受部２４に第１係止部２３を引っ掛けるだけで前枠２２を垂木５の先端に仮設置することができ、１人の作業者によって長尺の前枠２２を設置する場合であっても、容易に前枠２２を垂木５に仮設置することができる。
【００４７】
そして、仮設置した前枠２２を各垂木５にビス止めして固定するとともに、本設置用係合部２８の第２係止受部２７に第２係止部２６を係合させることができる。これにより、前枠２２を所定の設置位置に位置決めしつつ垂木５に強固に接続して設置することができ、１人の作業者であっても容易に且つ確実に前枠２２を垂木５に本設置することが可能になる。
【００４８】
次に、本実施形態においては、図１０に示すように、一方の妻垂木５ａ（５）に一側端を係合させて１枚目の屋根パネル６を配設するとともに、この屋根パネル６の他側端に係合させながら、且つ前枠２２に先端部を係合させながら中間部の垂木（中間垂木）５を配設する（屋根部材設置工程、垂木設置工程）。これとともに、前述と同様に、この垂木５の後端を垂木掛け４にビス止めするなどして接続し、且つ前枠２２と垂木５の仮設置用係合部２５を係合させ、さらに前枠２２の固定部２２ｂを垂木５にビス止めしつつ本設置用係合部２８を係合させて前枠２２と垂木５の先端を接続する。
【００４９】
さらに、自在桁１７の固定金具３２の固定部３４のビス挿通孔３６に上方からビス３７を挿通するとともに、桁本体部３１の所定位置に予め形成されたビス孔３３に貫入させて締付け、固定部３４を桁本体部３１に固着し、且つ垂木５のフランジを保持片部３５で押圧してクランプ保持する。このように新たに設置した垂木５を、前述と同様に、固定金具３２によって自在桁１７に固着する（垂木／自在桁接続工程）。
【００５０】
そして、図１１に示すように、順次一方の側部側から他方の側部側に向けて、繰り返し上記の操作を行い屋根部３を形成する。
なお、本実施形態では、他方の側部に隣接する屋根パネル６を取り付ける際には、先行して取り付けた他方の妻垂木５ｂ（５）を一旦取り外し、上記と同様の操作を行って屋根部３を形成することになる。
【００５１】
また、図１に示すように、隣り合う垂木５の間に下方から屋根パネル６を支持する野縁２１を設置する。さらに、垂木掛け４や自在桁１７、前枠２２の両端部にキャップを取り付けたり、屋根部３の隅にグレイジングチャンネルを取り付けたり、適宜シーリング処理を施すなどして、本実施形態の建物外部構築物Ｂの施工が完了する。
【００５２】
したがって、本実施形態の建物外部構築物の施工方法においては、まず、予め所定の位置にビス孔３３を穿設した桁本体部３１と、長孔のビス挿通孔３６が形成された固定部３４及び垂木５をクランプ保持するための保持片部３５からなる固定金具３２とで構成した自在桁１７を用いるようにしたことで、図１３及び図１４に示した従来の自在桁２よりも大幅に部品点数、部品付けによる施工工数を少なくすることができる。
【００５３】
また、ビス孔３３が桁本体部３１の所定位置に予め設けられ、このビス孔３３によって固定金具３２を位置決めすることができる。これにより、固定金具３２で保持すれば、自ずと垂木５を所定の方向に配設することができ、従来の自在桁２のように垂木５が斜めに配設されるおそれがない。
【００５４】
さらに、前枠と垂木の取付構造Ｃによって、仮設置用係合部２５の第１係止受部２４に第１係止部２３を引っ掛けるだけで前枠２２を垂木５の先端に仮設置することができ、１人の作業者によって長尺の前枠２２を設置する場合であっても、容易に前枠２２を垂木５に仮設置することができる。
【００５５】
そして、仮設置した前枠２２を各垂木５にビス止めして固定するとともに、本設置用係合部２８の第２係止受部２７に第２係止部２６を係合させることができる。これにより、前枠２２を所定の設置位置に位置決めしつつ垂木５に強固に接続して設置することができ、１人の作業者であっても容易に且つ確実に前枠２２を垂木５に本設置することが可能になる。
【００５６】
よって、本実施形態の建物外部構築物の施工方法によれば、従来と比較し、大幅に部品点数や部品付けによる施工工数を減らすことができ、建物外部構築物Ｂの施工性、経済性の向上を確実に図ることが可能になる。
【００５７】
以上、本発明に係る建物外部構築物の施工方法の一実施形態について説明したが、本発明は上記の一実施形態に限定されるものではなく、その趣旨を逸脱しない範囲で適宜変更可能である。
【００５８】
例えば、本実施形態では、屋根部３がその先端部側を湾曲させて形成されているものとしたが、図１２に示すようなフラットタイプの屋根部３であっても本実施形態と同様に扱うことができる。
【００５９】
また、本実施形態では、前枠と垂木の取付構造Ｃを備える建物外部構築物Ｂがオープンテラスであるものとして説明を行ったが、本発明は、勿論、サンルームやテラス、バルコニーなどのガーデンルームタイプの建物外部構築物や、カーポート、自転車置き場、物置、通路等の他のサイドスルータイプの建物外部構築物にも適用可能である。
【００６０】
さらに、本実施形態では、一方の妻垂木５ａ側から屋根パネル６と中間垂木５を取り付けて屋根部３を形成するように説明を行った。これに対し、全ての垂木５を先行して設置し、順次屋根パネル６を垂木５の上方から設置し、屋根パネル６を挟み込むように垂木カバーを各垂木５に取り付けることで屋根部３を形成するようにしてもよい。この場合には、例えば垂木カバーを上方からビス止めして垂木５に固定する作業が必要になる。このため、本実施形態よりも作業負担が大きくなるが、これを許容できる場合には採用してもよい。
【符号の説明】
【００６１】
１      支柱
２      桁（自在桁）
３      屋根部
３ａ    フラット傾斜部
３ｂ    湾曲部
４      垂木掛け
５      垂木
５ａ    一方の妻垂木
５ｂ    他方の妻垂木
６      屋根パネル
７      前枠
８      桁本体部
９      自在桁部
１０    ボルト
１１    スライド溝
１２    可動部
１３    キャップ
１４    ナット
１５    従来の固定金具
１６    嵌合部
１７    自在桁（桁）
２１    野縁
２２    前枠
２２ａ  前枠本体部
２２ｂ  固定部
２２ｃ  突出片
２２ｄ  保持部
２３    第１係止部
２４    第１係止受部
２５    仮設置用係合部
２６    第２係止部
２７    第２係止受部
２８    本設置用係合部
２９    上側係合溝（上側係合凹部）
３０    下側係合溝（下側係合凹部）
３１    桁本体部
３１ａ  凸円弧面
３２    固定金具
３３    ビス孔
３４    固定部
３５    保持片部
３６    ビス挿通孔
３７    ビス
３８    ビス
Ａ      従来の建物外部構築物
Ｂ      建物外部構築物
Ｏ１    軸線
Ｓ１    前後方向
Ｓ２    横方向
Ｔ      建物本体
Ｔ１    外壁
【図１】
0006333660.tif 000002
【図２】
0006333660.tif 000003
【図３】
0006333660.tif 000004
【図４】
0006333660.tif 000005
【図５】
0006333660.tif 000006
【図６】
0006333660.tif 000007
【図７】
0006333660.tif 000008
【図８】
0006333660.tif 000009
【図９】
0006333660.tif 000010
【図１０】
0006333660.tif 000011
【図１１】
0006333660.tif 000012
【図１２】
0006333660.tif 000013
【図１３】
0006333660.tif 000014
【図１４】
0006333660.tif 000015